(57)【要約】本発明は、下りリンクの送信電力制御（ＴＰＣ）ビットを利用して上りリンク同期獲得を端末に通知する移動通信システムの上りリンク同期獲得通知方法に関する。基地局は、パターン０１カウントとして定義される任意の「Ｎ」値によって電力制御ビットのパターンを変更して転送し、端末は前記変更された電力制御ビットによって上りリンク同期獲得を示すインジケータを検出する。また、前記端末は上りリンク同期獲得を認識すると、電力制御ビットを受信する間に減少した分の電力を増加することにより同期獲得タイミングの送信電力を維持する。
2006526354.tif 000002
【特許請求の範囲】
【請求項１】
端末の送信電力を増加させるように端末に指示する電力制御ビットと上りリンク同期がいつ獲得されたかを示す少なくとも１つの上りリンク同期インジケータビットとを含むビットシーケンスから構成され、
異なるビット数を有する前記少なくとも１つのインジケータビットの数は、受信されたインジケータビットの受信エラーを考慮するか無視するかによって決定されることを特徴とする上りリンクの同期を意味する（ｉｎｄｉｃａｔｅ）下りリンクビットパターン。
【請求項２】
前記電力制御ビットは、上り同期が獲得されるまで繰り返される電力増加命令ビットを含むことを特徴とする請求項１に記載の上りリンクの同期を示す下りリンクビットパターン。
【請求項３】
前記少なくとも１つのインジケータビットは、電力制御ビットに追加又は挿入されることを特徴とする請求項１に記載の上りリンクの同期を示す下りリンクビットパターン。
【請求項４】
前記少なくとも１つのインジケータビットは、電力減少命令ビットであることを特徴とする請求項１に記載の上りリンク同期を示す下りリンクビットパターン。
【請求項５】
前記少なくとも１つのインジケータビットは、インジケータビットの受信エラーが考慮される場合、前記電力制御ビットに追加されるか、又は挿入された３つのインジケータビットを含むことを特徴とする請求項１に記載の上りリンクの同期を示す下りリンクビットパターン。
【請求項６】
前記３つのインジケータビットは、３つの連続した電力減少命令ビットであることを特徴とする請求項５に記載の上りリンクの同期を示す下りリンクビットパターン。
【請求項７】
前記電力制御ビットは、
１つのフレームに対して１つのビットペア配列を形成し、各ビットペアが電力増加命令ビットと電力減少命令ビットを含むＮ個のビットペアと、
前記ビットペア配列の終端部と前記フレームの端部に追加される電力増加命令ビットとから構成され、
ここで、次のフレームでは新しいビットペア配列が開始することを特徴とする請求項１に記載の上りリンクの同期を示す下りリンクビットパターン。
【請求項８】
前記少なくとも１つのインジケータビットは、インジケータビットの受信エラーが無視され、１≦Ｎ≦３０であるとき、前記電力制御ビットに追加又は挿入される２つのインジケータビットを含むことを特徴とする請求項７に記載の上りリンクの同期を示す下りリンクビットパターン。
【請求項９】
前記２つのインジケータビットは、２つの連続した電力減少命令ビットであることを特徴とする請求項８に記載の上りリンクの同期を示す下りリンクビットパターン。
【請求項１０】
前記少なくとも１つのインジケータビットは、インジケータビットの受信エラーが考慮され、Ｎ＝１又は２であるとき、時前記電力制御ビットに追加されるか、又は挿入される５つのインジケータビットを含むことを特徴とする請求項７に記載の上りリンクの同期を示す下りリンクビットパターン。
【請求項１１】
前記５つのインジケータビットは、５つの連続した電力減少命令ビットであることを特徴とする請求項１０に記載の上りリンクの同期を示す下りリンクビットパターン。
【請求項１２】
前記少なくとも１つのインジケータビットは、インジケータビットの受信エラーが考慮され、３≦Ｎ≦３０であるとき、前記電力制御ビットに追加されるか、又は挿入される６つのインジケータビットを含むことを特徴とする請求項７に記載の上りリンクの同期を示す下りリンクビットパターン。
【請求項１３】
前記６つのインジケータビットは、６つの連続した電力減少命令ビットであることを特徴とする請求項１２に記載の上りリンクの同期を示す下りリンクビットパターン。
【請求項１４】
基地局が上りリンク同期を探索する間、端末に端末の送信電力を増加させるように指示する電力制御ビットを転送する段階と、
基地局が上りリンク同期をいつ獲得したかを示す少なくとも１つのインジケータビットを転送する段階とから構成され、
異なるビット数を有する前記少なくとも１つのインジケータビットの数は、受信されたインジケータビットの受信エラーを考慮するか無視するかによって決定されることを特徴とする上りリンク同期獲得実行方法。
【請求項１５】
前記電力制御ビットを転送する段階は、
１つのフレーム（Ｎ＞０）間、それぞれ「０」及び「１」を含む「Ｎ」個のデジタルシンボルペアを転送すると共に、各「Ｎ」番目のデジタルシンボルペアの次に及び各フレームの端に１を追加して転送する段階から構成されるか、又は、Ｎ＝０である場合、１を連続的に転送する段階から構成されることを特徴とする請求項１４に記載の上りリンク同期獲得実行方法。
【請求項１６】
前記少なくとも１つのインジケータビットを転送する段階は、
Ｎ＝０であり、前記受信エラーが無視される場合、１つの「０」を転送することを特徴とすする請求項１５に記載の上りリンク同期獲得実行方法。
【請求項１７】
前記少なくとも１つのインジケータビットを転送する段階は、１≦Ｎ≦３０であり、前記受信エラーが無視される場合、２つの連続した「０」を転送することを特徴とする請求項１５に記載の上りリンク同期獲得実行方法。
【請求項１８】
前記少なくとも１つのインジケータビットを転送する段階は、Ｎ＝０であり、前記受信エラーが考慮される場合、３つの連続的な「０」を転送することを特徴とする請求項１５に記載の上りリンク同期獲得実行方法。
【請求項１９】
前記少なくとも１つのインジケータビットを転送する段階は、Ｎ＝１又は２であり、前記受信エラーが考慮される場合、５つの連続した「０」を転送することを特徴とする請求項１５に記載の上りリンク同期獲得実行方法。
【請求項２０】
前記少なくとも１つのインジケータビットを転送する段階は、３≦Ｎ≦３０であり、前記受信エラーが考慮される場合、６つの連続的な「０」を転送することを特徴とする請求項１５に記載の上りリンク同期獲得実行方法。
【請求項２１】
基地局が上りリンク同期を探索する間、基地局から送信電力の増加させるように指示される段階と、
基地局が上りリンク同期を獲得すると、少なくとも１つのインジケータを検出する段階とから構成され、
異なるビット数を有する前記少なくとも１つのインジケータビットの数は、受信されたインジケータビットの受信エラーを考慮するか無視するかによって決定されることを特徴とする請求項１５に記載の基地局が上りリンク同期を獲得したという通知を受信する方法。
【請求項２２】
前記指示される段階は、
現在のフレーム（Ｎ＞０）の間、それぞれ「０」及び「１」を含む「Ｎ」個のデジタルシンボルペアを受信すると共に、各「Ｎ」番目のデジタルシンボル対の次及び各フレームの端部に１を追加して受信する段階から構成されるか、又は、Ｎ＝０である場合、「１」を連続的に受信する段階から構成されることを特徴とする請求項２１に記載の基地局が上りリンク同期を獲得したという通知を受信する方法。
【請求項２３】
前記少なくとも１つのインジケータを検出する段階は、
Ｎ＝０であり、前記受信エラーが無視される場合、１つの「０」を検出することを特徴とする請求項２２に記載の基地局が上りリンク同期を獲得したという通知を受信する方法。
【請求項２４】
前記少なくとも１つのインジケータは、
１≦Ｎ≦３０であり、前記受信エラーが無視される場合、２つの連続的な「０」を含むことを特徴とする請求項２２に記載の基地局が上りリンク同期を獲得したという通知を受信する方法。
【請求項２５】
前記少なくとも１つのインジケータは、
Ｎ＝０であり、前記受信エラーが考慮される場合、３つの連続したビット内に少なくとも２つの「０」を含むことを特徴とする請求項２２に記載の基地局が上りリンク同期を獲得したという通知を受信する方法。
【請求項２６】
前記少なくとも１つのインジケータは、
Ｎ＝１又は２であり、前記受信エラーが考慮される場合、５つの連続的ビット内に少なくとも４つの「０」を含むことを特徴とする請求項２２に記載の基地局が上りリンク同期を獲得したという通知を受信する方法。
【請求項２７】
前記少なくとも１つのインジケータは、
３≦Ｎ≦３０であり、前記受信エラーが考慮される場合、６つの連続的なビット内に少なくとも５つの「０」を含むことを特徴とする請求項２２に記載の基地局が上りリンク同期を獲得したという通知を受信する方法。
【請求項２８】
前記インジケータとして検出された電力減少ビットの数によって端末の送信電力を適正な量まで増加させる段階をさらに含むことを特徴とする請求項２１に記載の基地局が上りリンク同期を獲得したという通知を受信する方法。
【請求項２９】
前記送信電力は、
前記インジケータとして「Ｎ」個の電力減少ビットが検出される場合、「Ｎ」個の段階が増加することを特徴とする請求項２８に記載の基地局が上りリンク同期を獲得したという通知を受信する方法。
【発明の詳細な説明】
【技術分野】
【０００１】
本発明は、移動通信に関し、特に、下りリンク送信電力制御（ｔｒａｎｓｍｉｔ  ｐｏｗｅｒ  ｃｏｎｔｒｏｌ：  ＴＰＣ）ビットを利用して上りリンクの同期獲得を端末に通知する移動通信システムの上りリンク同期獲得を通知する方法に関する。
【背景技術】
【０００２】
一般に、端末（移動端末機、加入者ユニット、ユーザ機器（ｕｓｅｒ  ｅｑｕｉｐｍｅｎｔ：  ＵＥ）など）の動作モードと通信状態を区分するために、ＲＲＣ（Ｒａｄｉｏ  Ｒｅｓｏｕｒｃｅ  Ｃｏｎｔｒｏｌ）状態が定義される。前記ＲＲＣ状態は、アイドルモード（Ｉｄｌｅ  ｍｏｄｅ）と接続モード（Ｃｏｎｎｅｃｔｅｄ  ｍｏｄｅ）とに大別される。端末とＵＴＲＡＮとの間にＲＲＣ接続が設定されると、端末は、アイドルモードから接続モードに遷移する。前記接続モードは、図１に示すように、端末が使用し得る物理チャネルの種類によって、ＣＥＬＬ＿ＤＣＨ（ｃｅｌｌ  ｄｅｄｉｃａｔｅｄ  ｃｈａｎｎｅｌ）、ＣＥＬＬ＿ＦＡＣＨ（ｃｅｌｌ  ｆｏｒｗａｒｄ  ａｃｃｅｓｓ  ｃｈａｎｎｅｌ）、ＣＥＬＬ＿ＰＣＨ（ｃｅｌｌ  ｐａｇｉｎｇ  ｃｈａｎｎｅｌ）、ＵＲＡ＿ＰＣＨ（ＵＲＡ  ｐａｇｉｎｇ  ｃｈａｎｎｅｌ）などの４つの状態に分類される。ここで、各ＲＲＣ状態は、他のＲＲＣ状態又は他のモードへの遷移が可能である。以下、前記接続モード下の４つの状態について説明する。
【０００３】
まず、前記ＣＥＬＬ＿ＤＣＨは、連続的なデータ転送に必要な専用チャネル（ＤＣＨ）が割り当てられた状態であり、下りリンク共有チャネル（ｄｏｗｎｌｉｎｋ  ｓｈａｒｅｄ  ｃｈａｎｎｅｌ：  ＤＳＣＨ）も使用できる。前記ＣＥＬＬ＿ＦＡＣＨは、順方向アクセスチャネル（ＦＡＣＨ）をモニターする状態であり、端末は自分に転送される全てのＦＡＣＨをこの状態でモニターする。また、前記ＣＥＬＬ＿ＰＣＨ及びＵＲＡ＿ＰＣＨは、ページングチャネル（ＰＣＨ）をモニターする状態であり、セルを更新するか、又はＵＲＡを更新するかによって区分される。
【０００４】
従って、速いデータ転送のためには、ＣＥＬＬ＿ＦＡＣＨからＣＥＬＬ＿ＤＣＨへの速い遷移が要求されるが、前記遷移の時、転送チャネルと物理チャネルが再構成される。しかしながら、ＣＥＬＬ＿ＦＡＣＨからＣＥＬＬ＿ＤＣＨに遷移するために、すなわち、１つの専用チャネル（ＤＣＨ）を設定するためには、端末と基地局間の上り及び下りチャネルの同期化が行われる必要がある。
【０００５】
一般に、ＷＣＤＭＡ無線通信システムで、端末（移動端末機、ユーザ機器など）は、基地局（Ｎｏｄｅ  Ｂ）から転送される下りリンク信号を探索して下り同期を獲得し、ネットワークとの初期呼を設定する。一旦、下りリンク同期が獲得されると、端末はネットワークタイミングを取るために、すなわち、基地局が上りリンク同期を獲得できるようにするために、電力制御プリアンブルを所定時間転送し、基地局は上りリンク同期を探索する。
【０００６】
前述したように、端末は、基地局から転送される下り信号を探索して下りリンク同期を獲得した後、基地局が上りリンク同期を獲得できるように所定時間の間電力制御のためのプリアンブルを転送する。従って、端末は電力制御のためのプリアンブルの転送が完了しないと、データフレームを転送できないため、前記プリアンブルの転送が完了する前に基地局が上りリンク同期を獲得したとしても、データを送受信するためには所定時間の間待たなければならない。
【発明の開示】
【発明が解決しようとする課題】
【０００７】
本発明の目的は、このような従来技術の問題を解決し、後述する利点を提供することにある。
【０００８】
本発明の他の目的は、上りリンク同期獲得インジケータを利用して短時間で上りリンク同期を検出できる上りリンク同期検出方法を提供することにある。
【０００９】
本発明のさらに他の目的は、正しく検出された上りリンク同期獲得インジケータを提供することにある。
【課題を解決するための手段】
【００１０】
このような目的を達成するために、本発明は、送信電力を向上させるように端末に指示する電力制御ビットと上り同期がいつ獲得されたかを示す少なくとも１つのインジケータビットとを有するビットシーケンスを含む上りリンク同期を示す新しい下りビットパターンを提供することを特徴とする。また、前記少なくとも１つのインジケータビットは、受信されたインジケータビットの受信エラーを考慮するか否かによって異なる数のビットを有する。
【００１１】
本発明のさらなる長所、目的、及び特性は後述する発明の詳細な説明に一部が記述されており、一部は以下に明示された説明を参照すると当該技術分野における通常の知識を有する者であれば明確になり、又は、本発明の適用により理解される。本発明の目的と長所は、特に、発明の詳細な説明及び請求の範囲ならびに添付図面に開示された構成により実現及び達成される。
【発明の効果】
【００１２】
本発明の方法は、適した通信基準に準拠して既に標準化された過程Ａ及びＢと共に「同期化過程Ｃ」を定義することによって達成できる。
【００１３】
また、本発明は、ＷＣＤＭＡ移動通信システムにおいて、上りリンク同期獲得時間を減少させることにより、端末と基地局間の呼設定時間を短縮することができ、これにより、従来技術において発生した遅延によるスループットの損失が最小化されるため、上りリンク容量が有利に増加するという効果がある。
【００１４】
従って、本発明の上りリンク同期獲得インジケータパターンを利用してＲＲＣ状態間の遷移遅延が最小化できるため、本発明は、上りリンクにおける速いＤＣＨ設定に応用できる。
【発明を実施するための最良の形態】
【００１５】
以下、添付図面に示す本発明の様々な実施形態について詳細に説明する。
【００１６】
本発明は、ＣＤＭＡ移動通信システムにおいて実現されるが、本発明は、他の標準に準拠して動作する通信システムにも適用できる。
【００１７】
基地局は、上りリンク同期を探索するとき、端末の上りリンク送信電力を制御するために、「パターン０１カウント（ｐａｔｔｅｒｎ  ０１  ｃｏｕｎｔ）」と定義されるパラメータの値（Ｎ）によって下りリンクで転送するＴＰＣ（Ｔｒａｎｓｍｉｔ  ｐｏｗｅｒ  ｃｏｎｔｒｏｌ）ビットのパターンを決定して転送する。前記ＴＰＣパターンは「０」と「１」パターンを有し、「Ｎ」値の間（すなわち「Ｎ」回、Ｎ＞０）繰り返される。図２に示すように、前記ＴＰＣパターンは、ＣＦＮ  ｍｏｄ  ４＝０になる各フレームの開始点で強制的にリセットされて最初のパターン（０１０１など）が繰り返される。
【００１８】
また、ＴＰＣビット「１」が送信電力の増加を示し、「０」が送信電力の減少を示す場合、Ｎ＝０であると、基地局はＴＰＣビットとして「１」を繰り返して転送し、その他の場合（Ｎ≠０）は、Ｎ個の連続した「０１」パターンの後に「１」を１回追加したパターンを繰り返して転送する。例えば、Ｎ＝７である場合、基地局は、「０１」のビットペアを７回繰り返して転送した後、１を１回転送する。この場合、１フレームが電力制御のために１５個のスロットから構成されているため、端末の送信電力は１ｄＢ／ｆｒａｍｅずつ増加する。前記パラメータ値（Ｎ）による端末の送信電力の増加率は、図３に示す。前記パラメータ値（Ｎ）の値が大きいほど、フレーム当たりのゲイン（ｇａｉｎ）の増加幅が小さくなることが分かる。
【００１９】
パラメータ値（Ｎ）が「０」である場合、下りリンクのＴＰＣは「１１１〜１１１」パターンを有するため、端末の送信電力は継続して増加する。前記端末の送信電力が増加すると、基地局は短時間で上りリンクの同期を獲得できるが、初期化状態の間に急激に端末の送信電力が増加される場合は、基地局モデムで受信エラーが発生する可能性があり、呼設定試みリンク（ｃａｌｌ  ｅｓｔａｂｌｉｓｈｍｅｎｔ  ａｔｔｅｍｐｔ  ｌｉｎｋ）と全体セルに悪影響を及ぼす。
【００２０】
従って、一般に、基地局はＮ＞０を使用するが、「Ｎ」は３０までの範囲を有する。ここで、最適の「Ｎ」値は、製造業者の基準に従って設定され、前記「Ｎ」値が大きいほど安定した初期化設定が可能であるが、あまりにも大きな「Ｎ」値は呼設定時間を遅延させるため、適切な「Ｎ」値を探さなければならない。
【００２１】
上りリンクの同期獲得時間を最小化するための１つの方法として、上位レイヤにより指示された固定電力制御プリアンブルを使用する代わりに、基地局が同期を獲得すると、同期が設定されたことを端末に通知する方法が提案されている。
【００２２】
すなわち、上りリンク同期を獲得した後、残り時間の間、電力制御（すなわち、プリアンブル転送）のみを行う端末の代わりに（結局、これはデータ転送を遅延させることになる）、  同期が獲得されたか否かを示す特定の識別子が同期が獲得されたか否かを直ちに認識することにより、データの転送を開始することができる。すなわち、この方法は、単一のビット識別子を使用して基地局が前記上りリンク同期を獲得したことを端末に通知することにより、上りリンクの同期化に要求される時間を減らすことができる。
【００２３】
図４は、上りリンク同期獲得方法を説明するための図である。図４に示すように、基地局は、適正な送信電力に端末の送信電力を初期化した後、上りリンク同期が獲得されるまで継続して電力増加（ｐｏｗｅｒ  ｕｐ）命令を端末に送信する。その後、Ｎ番目のフレームで上りリンク同期が獲得されると、基地局は同期識別子を利用して端末に１回の電力減少命令を送信する。ここで、前記同期識別子は、基地局が上りリンクの設定を端末に通知するために、下りリンクＴＰＣを通じて転送する識別子である。
【００２４】
従って、端末は、基地局から転送された同期識別子の受信を確認した後、ＤＣＨ状態に遷移してデータ転送を開始する。
【００２５】
しかしながら、上りリンク同期獲得時間を減少させるために、単一の下りリンクＴＰＣビットを同期獲得識別子として使用する前記方法は、同期化設定過程の間下りリンクで転送されたＴＰＣビットが「１」を繰り返すパターンの場合、すなわち、Ｎ＝０である場合にのみ適用される。
【００２６】
より詳しくは、同期化設定過程で、下りリンクで転送されるＴＰＣビットが「０１０１」パターンである場合（すなわち、Ｎ＞０は、急激な送信電力の増加を防止するために一般的に使用されるので）、図４に示す前記方法を適用するのは難しい。つまり、前記同期識別子は、ＴＰＣビットパターンの端に追加できるただ１つのビットから構成されているため（すなわち、「１」を繰り返して転送した後、その端に追加された「０」）、送信電力を次第に増加させるように端末に指示するためにＴＰＣパターンに「０」及び「１」が全て含まれる場合（すなわち、Ｎ＞０）、単一のビット識別子を適切に検出することがむずかしい。
【００２７】
また、従来の技術で、端末はただ１つの「０」ＴＰＣビットを受信しても上りリンク同期が設定されたと判断してデータフレームの転送を開始するため、下りリンクＴＰＣビットの受信エラーが発生する場合、端末において誤動作が発生する可能性がある。例えば、基地局は「１」のＴＰＣビットを転送したが端末が「０」と解釈した場合、又は基地局は「０」のＴＰＣビットを転送したが端末が「１」と解釈した場合などがある。すなわち、この単一ビット識別子を誤って識別する可能性がある。
【００２８】
特に、Ｎ＝０の条件を使用すると、基地局が上りリンク同期を獲得できない場合（「Ｍｉｓｓｉｎｇ  Ｅｖｅｎｔ」状況）、端末の送信電力が十分大きい値であるにもかかわらず、端末は継続して送信電力を増加させるため、「フォールスアラーム（Ｆａｌｓｅ  Ａｌａｒｍ）」の場合と同様に上りリンク干渉（ｉｎｔｅｒｆｅｒｅｎｃｅ）が急激に増加する。これにより、同期獲得に必要な時間が長くなり、呼接続が解除されるため、全体セルの不安定性が増加する。また、端末と基地局間の初期呼設定時にシステム安定の脆弱性（ｖｕｌｎｅｒａｂｉｌｉｔｙ）が増加すると共に、上りリンク干渉の増加により上りリンク容量が減少する。特に、単一のビット下りリンクＴＰＣ「０」は、ＲＳＥ（Ｒａｎｄｏｍ  ｓｉｎｇｌｅ  ｅｒｒｏｒ）を検出できないという短所がある。従って、単一のビット下りリンクＴＰＣが誤判読（すなわち、エラーによる誤認識）される確率が高い。
【００２９】
もう１つの方法は、ＷＣＤＭＡ移動通信システムにおいて、上りリンク同期獲得時間を減少させることにより、端末機と基地局間の呼設定時間を短縮する方法である。この方法において、より迅速に専用チャネル（ＤＣＨ）を設定するために下りリンクＴＰＣに使用できる特定パターンが考案され、前記考案されたＴＰＣパターンに適した検出方式を適用することにより、上りリンク同期化獲得可能性を向上させる方案が提案される。特に、本発明は、ＣＥＬＬ＿ＦＡＣＨとＣＥＬＬ＿ＤＣＨ間のより速い転換のための上りリンク同期獲得方法を提供することにより、従来の同期獲得遅延によるスループット（Ｔｈｒｏｕｇｈｐｕｔ）の減少を低減するための方案を提案する。前記パターンを生成することにより、基地局が上りリンク同期を獲得したことを端末が認識すると、直ちにＤＰＤＣＨ（Ｄｅｄｉｃａｔｅｄ  Ｐｈｙｓｉｃａｌ  Ｄａｔａ  Ｃｈａｎｎｅｌ）が転送できる。
【００３０】
このために、本発明は任意の「Ｎ」値による上りリンク「同期獲得インジケータ」を提供する。好ましくは、ダウンリンクで転送されるＴＰＣビットシーケンスにエラーが予想されない第１場合（ｅｒｒｏｒ  ｆｒｅｅ）と、少なくとも１つのエラー（すなわち、ＲＳＥ）が予想される第２場合とを考慮して同期獲得インジケータを決定する。従って、特定の「Ｎ」値と下りリンクＴＰＣビット受信エラーを考慮するか否かによって、使用可能な同期獲得インジケータが決定される。
【００３１】
この方法において、基地局が上りリンク同期を獲得すると、１つ以上のインジケータビットがビットシーケンスに追加される。追加されるインジケータビットの数は、端末においてインジケータビットの受信エラーが無視されるか考慮されるかよって異なる。ここで、同期獲得インジケータは、フレームの端に追加されるか、又はフレームの中間に挿入される。
【００３２】
図５に示すように、エラーを考慮しない場合、  ２つの同期獲得インジケータ（「０」及び「００」）が存在し、１つのＲＳＥを考慮した場合は、３つのタイプの同期獲得インジケータ（「０００」、「０００００」、及び「００００００」）が存在する。
【００３３】
基地局は、まず「Ｎ」値を決定して端末に転送し、該当「Ｎ」値による上りリンク同期獲得インジケータを端末に転送する。前述したように、前記特定「Ｎ」値は、通信機器の製造業者が予め設定することもでき、通信システムのハードウェア又はソフトウェアにより特定の通信環境に応じて決定することもできる。
【００３４】
もし、任意の「Ｎ」値が決定され、ＴＰＣビット受信エラーを無視した場合、図５に示す「０１０１」カウントパターンによってどの同期獲得インジケータを使用するかが決定される。図５において、最右側列にはエラーを無視する場合に使用される同期獲得インジケータがあり、前記列の左側列にはエラーを考慮する場合に使用される同期獲得インジケータがある。
【００３５】
すなわち、Ｎ＝０であり、エラーを考慮しない場合、基地局は連続する「１」のシーケンス（１１１〜）を繰り返して転送し、その後、上りリンク同期が獲得されると、１つの「０」を転送する。さらに、Ｎ＝１〜３０である場合は、前記転送されたシーケンスに２つの連続する「０」がないため、基地局は同期獲得インジケータとして２つの「０」（「００」）を使用する。
【００３６】
また、本発明は、前述したパターン以外にも、端末の下りリンクＴＰＣ受信時に発生したエラーを考慮して同期獲得インジケータとして使用される下りリンクＴＰＣパターンを定義する（最右側から２番目の列のインジケータ）。すなわち、本発明は端末で１ビットにおいてＴＰＣ受信エラーが発生した場合（又は、ビットエラーが適当にまれに発生する場合）、上りリンク同期獲得が設定されたことを端末が正しく判断するようにする下りリンクＴＰＣパターンを定義する。
【００３７】
図５を参照すると、Ｎ＝０である場合、３つの異なる状況で単一エラー（すなわち、ＲＳＥ）が発生し得るので、基地局は同期獲得インジケータとして３つの「０」（「０００」）を転送する。２つのビットより３つのビットが多用される理由は、次の通りである。例えば、ノードＢ（基地局）が２つの連続した「０」（「００」）を転送してＵＥ（端末）に上りリンク同期が設定されたことを通知すると仮定する。前記前述したように、Ｎ＝０である場合、ノードＢは、全て「１」である１５ビット（「１１１．．．１１１」）のＴＰＣ命令を転送する。従って、この例では次の２つのＴＰＣパターンが可能である。
【００３８】
１）ＴＰＣ＝端末に自身の送信電力を増加させることを要求する「１１１１１１１１１１１１１１１」及び
２）ＴＰＣ＝上りリンク同期が設定されたことを端末に通知するための「１１１１１００１１１１１１１１」（すなわち、２つの「００」が前記ＴＰＣ命令の端に追加されるか、又は中間に挿入される）。
【００３９】
その後、第１命令において１ビットのエラーが発生し、第２命令にも１ビットのエラーが発生すると仮定すると、前記１ビットのエラーが第２命令の「００」パターンで発生し、前記第１命令においても同一の位置で１ビットのエラーが発生する場合、１ビットのエラーを含む次の２つのＴＰＣ命令が転送され得る。
【００４０】
１）ＴＰＣ＝端末に自身の送信電力を増加させることを要求する「１１１１１０１１１１１１１１１」（及び１ビットのエラー）及び
２）ＴＰＣ＝上りリンク同期が設定されたことを端末に通知するための「１１１１１０１１１１１１１１１」（及び１ビットのエラー）
この例では、前記命令が一致するため、端末が前記第１命令及び２命令を区分することができない。従って、前記端末は、上りリンク同期が設定されたと判断したり、自身の送信電力を増加させることであると誤判断する可能性がある。これは、本発明により３つのビット（「０００」）を１つの同期獲得インジケータとして使用するからである。図６〜図１２は、「Ｎ」値が異なる場合をより詳細に説明するための図である。
【００４１】
また、Ｎ＝１又は２である場合、１つのＲＳＥが生成される５つの状況があるため、基地局は５つの連続したＴＰＣビットの代わりに５つの「０」（「０００００」）を転送するか、又は同期獲得インジケータとしてＴＰＣビットに追加された５つの「０」（「０００００」）を転送する。単一ＲＳＥが生成される状況が５つである理由は、前述したＮ＝０である場合と類似しており、図７及び図８を参照して後述することにする。同様に、Ｎ＝３〜３０である場合、１つのＲＳＥが生成される状況は６つであるため、基地局は６つの連続したＴＰＣビットの代わりに６つの「０」（「００００００」）を転送するか、又は同期獲得インジケータとしてＴＰＣビットに追加された６つの「０」（「００００００」）を転送する。
【００４２】
従って、前述したように、受信エラーを無視又は考慮したＴＰＣパターンを利用して基地局が同期獲得インジケータを端末に転送すると、端末は受信された同期獲得インジケータを検出して基地局において上りリンク同期が獲得されたか否かを正確に判断する。
【００４３】
次に、図６〜図１２では、任意の「Ｎ」値に対して受信エラーを無視又は考慮する場合、端末の同期獲得インジケータの例を示す。
【００４４】
１）Ｎ＝０であり、ＲＳＥを考慮するとき、ＴＰＣパターン（「０００」）を同期獲得インジケータとして使用した場合
図６に示すように、同期獲得ＩＤとして３つの「０」（「０００」）を使用する場合、端末はＴＰＣビットパターンから２つの連続した「０」が検出されると、同期獲得インジケータが検出されたと認識する。もし、２つの連続した「０」が検出されない場合、端末はＴＰＣビットパターンの連続する３つのビット内で２つの「０」が検出されると、同期獲得インジケータが検出されたものと認識する。従って、図６に示すように、端末に自身の電力を増加させるように指示するＴＰＣ命令と上りリンクの同期が設定されたことを端末に通知するＴＰＣ命令が一致しない。従って、端末は、上り同期がいつ設定されたかを正確に判断でき、データ転送を開始することができる。
【００４５】
図７は、基地局が同期獲得インジケータとして「００００」を転送するとき、端末で前記同期獲得インジケータを検出できない例を示す。すなわち、Ｎ＝１である場合は、「００１０」及び「０１００」のような同期獲得インジケータが一般的な「０１０１」パターンにも存在する可能性が非常に高いため（従って、同期獲得インジケータを区分できない）、端末は同期獲得インジケータとして「００００」が転送される場合、「００００」の１ビットが誤判読される可能性があるため、前記同期獲得インジケータを正しく検出できなくなる。すなわち、図７に示すように、４つの「０」（「００００」）の同期獲得ＩＤを使用する場合、端末に自身の送信電力を増加させるように指示するＴＰＣ命令が上りリンク同期が設定されたことを端末に通知するＴＰＣ命令と一致する可能性がある。従って、端末は上りリンク同期がいつ設定されたかを正しく判断できず、継続して自身の送信電力を増加させたり（結果的に干渉を誘発する）、上りリンクの転送が設定されたと誤推定して（上りリンク同期が設定されなかった場合も）データ転送を開始する。従って、前述したように、基地局は、Ｎ＝１である場合、同期獲得インジケータとして４つの「０」（「００００」）を転送せずに５つの「０」（「０００００」）を転送する。
【００４６】
２）Ｎ＝１であり、ＲＳＥを考慮したとき、ＴＰＣパターン（「０００００」）を同期獲得インジケータとして使用した場合
図８に示すように、Ｎ＝１である場合、端末はＴＰＣビットパターンから３つの連続した「０」が検出されると、同期獲得インジケータが検出されたと認識するが、もし３つの連続した「０」が検出されない場合、端末はＴＰＣビットパターンの連続する３ビット内で２つの「０」が検出されると、同期獲得インジケータが検出されたものと認識する。また、図示するように、異なるタイプのＴＰＣ命令が一致しない。
【００４７】
３）Ｎ＝２で、ＲＳＥを考慮したとき、ＴＰＣパターン（「０００００」）を同期獲得インジケータに使用した場合
図９に示すように、端末は、ＴＰＣビットパターンから４つ以上の連続した「０」が検出されると、同期獲得インジケータが検出されたと認識するが、もし、４つ以上の連続した「０」が検出されない場合、端末は連続する５ビットをチェックし、そのうち４つの「０」が存在すると、同期獲得インジケータが検出されたものと認識する。
【００４８】
図１０は、Ｎ＝３であり、基地局が同期獲得インジケータとして「０００００」を転送するとき、端末で前記同期獲得インジケータを検出できない場合を示す。すなわち、Ｎ＝３である場合は、「０００１０」及び「０１０００」のような同期獲得インジケータが一般的な「０１０１」パターンにも存在する可能性が非常に高いので（従って、同期獲得インジケータを区分することができない）、端末が同期獲得インジケータを正しく検出できない。従って、前述したように、基地局は、Ｎ＝３である場合、同期獲得インジケータとして「０００００」を転送せずに「００００００」を転送する。すなわち、図１０に示すように、同期ＩＤを含むＴＰＣ命令が同期ＩＤを含まないＴＰＣ命令と一致する可能性がある。
【００４９】
４）Ｎ＝３であり、ＲＳＥを考慮したとき、ＴＰＣパターン（「００００００」）を同期獲得インジケータとして使用した場合
図１１に示すように、端末は、ＴＰＣビットパターンから４つ以上の連続した「０」が検出されると、同期獲得インジケータが検出されたものと認識する。もし、４つ以上の連続した「０」が検出されないとき、端末は次のような３つの方法によって同期獲得インジケータを検出する。
【００５０】
第１に、「００」又は「０００」以後に「１」が発生する場合、端末は５つの連続ビットをチェックして４つの「０」があると、同期獲得インジケータが検出されたものと認識する。第２に、端末は、「０」の後に「１」が発生し、その以後のシーケンスが「００００」である場合（すなわち、「０１００００」である場合）、同期獲得インジケータが検出されたものと認識する。第３に、検出過程を簡単にするために、「０１００００」のケースを無視する場合、端末は連続した５ビット内に４つ以上の「０」があると、同期獲得インジケータが検出されたともの認識する。
【００５１】
５）Ｎ≧４であり、ＲＳＥを考慮したとき、ＴＰＣパターン（「００００００」）を同期獲得インジケータとして使用した場合
Ｎ≧４であり、基地局が６つの「０」を有するＴＰＣパターンを同期獲得インジケータとして使用する場合、同期獲得インジケータのパターンは同一である。従って、図１２に示すように、端末は４つ以上の連続した「０」が検出されると、同期獲得インジケータが検出されたと認識する。もし、４つ以上の連続した「０」が検出されないと、端末は次のような３つ方法で同期獲得インジケータを検出する。
【００５２】
第１に、「０」（又は「０００」）の後に「１」が受信される場合、端末は「０」（又は「０００」）を含む連続した６ビット内に５つ以上の「０」があると、同期獲得インジケータが検出されたと認識する。
【００５３】
第２に、「００」の後に「１」が受信される場合、端末は、連続した５ビット内に４つ以上の「０」があると、同期獲得インジケータが検出されたものと認識する。
【００５４】
第３に、前記検出過程を簡単にするために「０１００００」と「０００１００」のケースを無視する場合、端末は連続した５ビット内に４つ以上の「０」があると、同期獲得インジケータが検出されたものと認識する。
【００５５】
前述したように、本発明は、基地局がいつ上り同期を獲得したかを端末に正しく通知することができる。端末の受信エラーは無視又は考慮される。ビット受信エラーが発生すると仮定すると、インジケータビットのうち１ビットの受信にエラーがあっても、ノードＢは上りリンク同期獲得を端末に正しく通知することができる。実施形態では、単に１つのビットに対する受信エラーを考慮して説明したが、前記方法を適用してビットパターンを修正して２つ以上のビット受信エラーも予想して処理できるということが分かる。
【００５６】
前記のような過程により基地局から転送された上りリンク同期獲得インジケータが検出されると、端末は前記同期獲得インジケータを受信する間「０」により減少されただけの自身の電力を増加させる。送信電力が適正水準より低い状態では、既に獲得された同期を失う可能性があるため、端末は送信電力を増加させて同期獲得タイミングの電力送信レベルを維持する。
【００５７】
例えば、Ｎ＝０である場合、端末はエラー発生を考慮しているか無視しているか及びエラー発生形態によって、送信電力を１段階（すなわち、送信電力転送単位）又は２段階増加させる。すなわち、２つの連続した「０」が検出されると、端末は前記２つの「０」が検出されて送信電力が減少したため、送信電力を２段階増加させ、２つの連続した「０」が検出されない場合は、送信電力を１段階増加させる。
【００５８】
Ｎ＝１である場合、端末はエラー発生を考慮しているか無視しているか、及びエラー発生形態によって、送信電力を２段階又は３段階増加させる。ＴＰＣビットパターンから「１０００」のシーケンスが検出された場合は、電力が２段階減少したことを意味するため、端末は送信電力を２段階増加させ、他の状況で検出された場合は、３段階が減少したため、送信電力を３段階増加させる。
【００５９】
Ｎ＝２である場合、端末はエラー発生を考慮しているか無視しているか、及びエラー発生形態によって、送信電力を３段階又は４段階増加させる。もし、４つの連続した「０」が検出されると、４段階が減少したため、端末は送信電力を４段階増加させ、そうでない場合は、３段階が減少したため、３段階増加させる。
【００６０】
また、Ｎ＝３である場合、端末はエラー発生を考慮しているか無視しているか、及びエラー発生形態によって、送信電力を３段階又は４段階増加させる。例えば、４つの連続した「０」が検出されると、送信電力が４段階が減少したため、送信電力を４段階増加させ、そうでない場合は、３段階が減少したため、送信電力を３段階増加させる。
【００６１】
最後に、Ｎ＝４〜３０である場合、端末はエラー発生を考慮しているか無視しているか、及びエラー発生形態によって、送信電力を３段階又は４段階増加させる。すなわち、ＴＰＣビットパターンから「１００００」と「００１００」のシーケンスが検出された場合、端末は送信電力が３段階が減少したため、送信電力を３段階増加させ、そうでない場合は、４段階が減少したため、送信電力を４段階増加させる。
【００６２】
すなわち、前述した内容から分かるように、インジケータとして認識される電力減少ビットが検出される数によって、端末は自身の送信電力を適当に増加させる。るまり、「Ｎ」個の電力減少ビットがインジケータとして認識されて検出されると、送信電力は「Ｎ」個の段階が増加される。
【００６３】
従って、図６〜図１２に示すように、端末はそれぞれの下りリンクのＴＰＣビット受信エラーの発生タイプによる多様なインジケータ検出方法で上りリンクの同期獲得を検出する。図６〜図１２において、陰影部分のビットは、インジケータを検出する場合に確認が必要な最大ビットの数であるが、矩形のボックス内の数字は、エラーが発生するそれぞれのタイプに対して全ての同期獲得インジケータを考慮する必要がなく、最小限のデータのみをチェックすることで同期獲得検出が可能であることを示している。このようにして、同期獲得インジケータの受信に必要な時間を最小化し、送信電力の低下を防止できる。
【００６４】
前述したように、本発明は、任意の「Ｎ」値によって下りリンクのＴＰＣに使用できる特定ＴＰＣパターンを生成し、前記生成されたＴＰＣパターンに適した検出方式を適用することにより、上り同期化獲得性能を向上させることができるという効果がある。
【００６５】
要約すると、ＤＣＨの設定は、端末とノードＢが物理的上りリンクチャネル及び下りリンクチャネルを同期化することを要求する。一例として、下りリンク同期化時間は、現在通信標準によって少なくとも４０ｍｓを持続する。端末がＳ−ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）で既にデータを受信してネットワークと同期化され、下りＤＰＣＨとＳ−ＣＣＰＣＨ間の相対的タイミングをＬ３シグナルリングが通知することにより、前記ＤＣＨ設定過程を向上させるための最初段階は、４０ｍｓ時間間隔が終わる前に端末の物理層がＣＰＨＹ−Ｓｙｎｃ−ＩＮＤを報告する。これにより、上り同期化位相がより早く開始される。また、前述したように、上位レイヤにより設定された電力制御プリアンブルの固定長さを利用する代わりに同期化が達成されたとき、ノードＢを端末にシグナルリングさせると、前記上りリンク同期化時間を減少させることができる。すなわち、一実施形態で、端末の送信電力を適した水準に初期化させてノードＢから端末への同期化過程によって電力制御命令を転送し、同期化が達成されるまで端末の送信電力を強化させる。前記ノードＢで上りリンク同期化が達成されると、端末は上りリンク同期が達成されたことと正常な電力制御及びデータ転送が開始されたことを通知する、予め定義された数の連続的な電力減少命令を受信する。同期化過程の「０１０１」カウント値によって、端末に上りリンク同期を通知するために必要な前記連続的電力減少命令の数は表１（及び図５）に示すとおりある。
【００６６】
【表１】
2006526354.tif 000003
本発明は、本標準案によってプログラムされた従来の一般的な目的のデジタルコンピュータやマイクロプロセッサを利用して実現することもできるため便利であり、コンピュータ技術分野の当業者に明確に理解される。熟練したプログラマーが本発明の記載内容によって適切なソフトウェアコーディング方法を用意することができるため、ソフトウェア技術分野の当業者に明確に理解される。本発明は、また応用注文型集積回路を設けたり従来の構成回路の適切なネットワークを相互連結させることにより実現できるため、その技術分野の当業者に明確に理解される。
【００６７】
本発明は、コンピュータプログラミングに使用して本発明の処理過程を実行できる説明を含んでいる記憶媒体であるコンピュータプログラム製品を含む。前記記憶媒体にはフロッピー（登録商標）ディスク、光ディスク、ＣＤ−ＲＯＭ、及び光磁気ディスクを含むディスクや、ＲＯＭ、ＲＡＭ、ＥＰＲＯＭ、ＥＥＰＲＯＭ、マグネチック又は光学カード、あるいは電気的説明を保存できるメディアも含むことができるが、これらに限定されるものではない。
【００６８】
前述した実施形態と利点は本発明を制限するものではなく、単なる例示にすぎない。  本発明の内容は他の形態の方法やシステムに十分応用可能である。本発明は、他の形態の装置にも容易に適用できる。本発明の説明は特許請求の範囲を制限するものでなく、単なる説明の便宜のためのものである。当該技術分野における通常の知識を有する者であれば多様な代替、変更、変形の可能性を理解できるものと思われる。
【図面の簡単な説明】
【００６９】
【図１】初期呼接続時の連結遷移図を示す図である。
【図２】パラメータ値（ｎ）が７である場合、下りＴＰＣ０１０１カウントの動作過程を示す図である。
【図３】パラメータ値（ｎ）による端末の１フレーム当たりの送信電力増加率を示す図である。
【図４】従来技術による上りリンク同期獲得方法を説明するための図である。
【図５】本発明による上りリンク同期獲得インジケータを分類した図である。
【図６】Ｎ＝０である場合の上りリンク同期獲得認識パターンを決定する方法を示す図である。
【図７】Ｎ＝１である場合、端末において上りリンク同期獲得インジケータを認識できない場合を示す図である。
【図８】Ｎ＝１である場合の上りリンク同期獲得認識パターンを決定する方法を示す図である。
【図９】Ｎ＝２である場合の上りリンク同期獲得認識パターンを決定する方法を示す図である。
【図１０】Ｎ＝３である場合、端末において上りリンク同期獲得インジケータを認識できない場合を示す図面である。
【図１１】Ｎ＝３である場合の上りリンク同期獲得認識パターンを決定する方法を示す図である。
【図１２】Ｎ＝４である場合の上りリンク同期獲得認識パターンを決定する方法を示す図である。
【図１】
2006526354.tif 000004
【図２】
2006526354.tif 000005
【図３】
2006526354.tif 000006
【図４】
2006526354.tif 000007
【図５】
2006526354.tif 000008
【図６】
2006526354.tif 000009
【図７】
2006526354.tif 000010
【図８】
2006526354.tif 000011
【図９】
2006526354.tif 000012
【図１０】
2006526354.tif 000013
【図１１】
2006526354.tif 000014
【図１２】
2006526354.tif 000015
【国際調査報告】
2006526354.tif 000016
2006526354.tif 000017